(57)【特許請求の範囲】
【請求項１】
成形型の中に入れた液状ゴムまたは液状プラスチックの上に木製チップを載せ、木製チップに圧力をかけて液状ゴムまたは液状プラスチック中に沈めて木製チップの間隙に液状ゴムまたは液状プラスチックを行き渡らせ、成形体の上面にゴムまたはプラスチックが表れないようにして木製チップ同士を結合し形成することを特徴とする、
木製チップを使用した成形体の製造方法。
【請求項２】
成形型の中に入れた液状ゴムまたは液状プラスチックの上に木製チップを載せるようにし、木製チップに圧力をかけて液状ゴムまたは液状プラスチック中に沈めて木製チップの間隙に液状ゴムまたは液状プラスチックを行き渡らせるようにし、成形体の上面にゴムまたはプラスチックが表れないようにして木製チップ同士を結合し形成されていることを特徴とする、
木製チップを使用した成形体。
【請求項３】
液状ゴムがシリコーンゴムであることを特徴とする、
請求項２記載の木製チップを使用した成形体。
【請求項４】
木製チップが透明な防水性の被膜で覆われていることを特徴とする、
請求項２または３記載の木製チップを使用した成形体。
【請求項５】
請求項２、３または４記載の成形体を板状に形成したことを特徴とする、
マット。
【請求項６】
請求項２、３または４記載の成形体を容器状に形成したことを特徴とする、
容器。
【請求項７】
容器本体の外面が請求項２、３または４記載の成形体で覆われていることを特徴とする、
容器。
【発明の詳細な説明】
【０００１】
【発明の属する技術分野】
本発明は木製チップを使用した成形体及びその製造方法並びにその成形体を使用したマット及び容器に関する。
更に詳しくは、製材により生じた端材や間伐材等を利用して、自然な環境に外観が溶け込み易く、触れたときに自然な感触を楽しむことができる木製チップを使用した成形体及びその製造方法並びにその成形体を使用したマット及び容器に関する。
【０００２】
【従来の技術】
庭園での憩いや催しやベランダ等での所謂ガーデニングには色々な種類のマットや植木鉢等の容器が使用されている。このようなマットとしては、例えば、軽くて取り扱い易く、比較的安価なプラスチック発泡体製のマットが使用されている。
また、自然な環境に溶け込み易く、触れたときに自然な感触を楽しむことができる木製の簀の子等も使用されている。
また、植木鉢としては、陶器、磁器、プラスチック、せっこう、コンクリート等製のものが使用されている。特に最近では、プラスチックやコンクリート製のものが多く見られる。
【０００３】
【発明が解決しようとする課題】
しかし、上記した従来のプラスチック発泡体製のマット、木製の簀の子、プラスチックやコンクリート製植木鉢には、次のような課題があった。
即ち、プラスチック発泡体製のマットは、庭園での憩いや催しに使用したときに、外観が不自然で環境に溶け込みにくかった。また、裸足で踏んだときべたつきや違和感があり、気持ち良く使用できなかった。
木製の簀の子は、製材を始めとして以後の製造工程において比較的手間がかかり高価になりがちであった。また、製材時に出た端材等は使用されず、殆どは焼却等により処分しており、資源のリサイクルに寄与していなかった。
プラスチックやコンクリート製の植木鉢も、自然な環境に外観が溶け込みにくかった。
【０００４】
本発明は、上記課題を解消するもので、下記を目的とする。
第１の目的は、自然な環境に外観が溶け込み易く、また、触れたときに自然な感触を楽しむことができる木製チップを使用した成形体並びにその成形体を使用したマット及び容器を提供することである。
第２の目的は、製造するときにそれ程の手間がかからず、また、製材時に出た端材等を使用でき、資源のリサイクルに寄与することができる木製チップを使用した成形体並びにその成形体を使用したマット及び容器の製造方法を提供することである。
【０００５】
【課題を解決するための手段】
上記目的を達成するために講じた本発明の手段は次のとおりである。
第１の発明にあっては、
成形型の中に入れた液状ゴムまたは液状プラスチックの上に木製チップを載せ、木製チップに圧力をかけて液状ゴムまたは液状プラスチック中に沈めて木製チップの間隙に液状ゴムまたは液状プラスチックを行き渡らせ、成形体の上面にゴムまたはプラスチックが表れないようにして木製チップ同士を結合し形成することを特徴とする、
木製チップを使用した成形体の製造方法である。
【０００６】
第２の発明にあっては、
成形型の中に入れた液状ゴムまたは液状プラスチックの上に木製チップを載せるようにし、木製チップに圧力をかけて液状ゴムまたは液状プラスチック中に沈めて木製チップの間隙に液状ゴムまたは液状プラスチックを行き渡らせるようにし、成形体の上面にゴムまたはプラスチックが表れないようにして木製チップ同士を結合し形成されていることを特徴とする、
木製チップを使用した成形体である。
【０００７】
第３の発明にあっては、
液状ゴムがシリコーンゴムであることを特徴とする、
第２の発明に係る木製チップを使用した成形体である。
【０００８】
第４の発明にあっては、
木製チップが透明な防水性の被膜で覆われていることを特徴とする、
第２または第３の発明に係る木製チップを使用した成形体である。
【０００９】
第５の発明にあっては、
第２、第３または第４の発明に係る成形体を板状に形成したことを特徴とする、
マットである。
【００１０】
第６の発明にあっては、
第２、第３または第４の発明に係る成形体を容器状に形成したことを特徴とする、
容器である。
【００１１】
第７の発明にあっては、
容器本体の外面が第２、第３または第４の発明に係る成形体で覆われていることを特徴とする、
容器である。
【００１２】
本明細書で上記「成形型」の用語は、物を入れることができる、うつわ、いれもの、型枠、モールド等、及びこれらと同じ働きをするその他の物を含む概念として用いている。
【００１３】
木製チップとしては、製材時に出た端材、間伐材、台風や洪水等で生じた倒木や流木等を適宜の形状に切断したものまたは砕いたもの等が利用できる。しかし、上記には限定されない。
また、木製の粒状体または粉状体としては、おがくず等が使用される。しかし、上記には限定されない。
【００１４】
ゴムまたはプラスチックとしては、１，２−ポリブタジェンゴム、１，４−ポリブタジェンゴム、１，２−ポリイソプレンゴム、ポリブタジェン−アクリロニトリル共重合ゴム、シリコーンゴム等の液状ゴム、または、ポリウレタン等の液状プラスチックが使用される。
特に、木製チップを結合し易く、耐候性がよく、生体適合性があるシリコーンゴムが好ましい。しかし、上記には限定されない。
【００１５】
ゴムまたはプラスチックの使用量は、木製チップ同士を十分に結合できれば、少ない方が好ましい。ゴムまたはプラスチックの使用量は、少ない方が出来上がったマットの上面にゴムまたはプラスチックが現れ難いからである。
ゴムまたはプラスチックが上面に現れない場合、マットは木製チップのみで製造されたマットと同様の外観を呈する。
【００１６】
透明な膜を作るには、溶剤に天然樹脂または合成樹脂を溶かしたバインダーに、着色剤等を分散させた流動体（例えば、エナメル、ペイント等の塗料）が使用される。
容器としては、植木鉢、屋外水槽等を挙げることができる。しかし、上記には限定されない。
補強材としては、針金、プラスチック、セラミック等の成形体が使用される。
しかし、上記には限定されない。
【００１７】
（作  用）
本発明に係る木製チップを使用した成形体は、木製チップと当該木製チップを結合しているゴムまたはプラスチックとを含む。
従って、上記マットは、ゴムまたはプラスチックにより結合されている木製チップにより、自然な環境に外観が溶け込み易い。また、触れたときにべたつきを感じることが少なく、気持ちよく使用できる。
【００１８】
木製チップを結合しているゴムまたはプラスチックが実質的に表面に現れないようにして形成してあるものは、上面が実質的に木製チップで構成されているので、自然な環境に外観がより一層溶け込み易い。また、自然の木そのままの感触を楽しむことができる。
【００１９】
ゴムがシリコーンゴムであるものは、当該シリコーンゴムが木製チップ等の間から表面に、たとえ、現れても、当該シリコーンゴムは生体適合性があるので、違和感を感じることはない。
【００２０】
木製チップが透明な防水性の被膜で覆われているものは、被膜により木製チップが保護され、腐敗するのを防ぐことができる。
【００２１】
本発明に係る木製チップを使用したマットの製造方法は、製造工程等で手間がかからず、製造コストが安価になる。また、原料として、製材時に生じた端材、間伐材、台風や洪水等で生じた倒木や流木等を切断等して得られた木製チップが利用できるので、資源のリサイクルに寄与することができる。
【００２２】
容器本体の外面が第２、第３または第４の発明に係る成形体で覆われているものは、ゴムまたはプラスチックにより結合されている木製チップにより、自然な環境に外観が溶け込み易い。
【００２３】
【発明の実施の形態】
本発明の実施の形態を図面に基づき更に詳細に説明する。
図１は本発明に係る木製チップを使用したマットの第１の実施の形態を説明するための要部断面説明図である。
木製チップを使用したマットＭ１は、木製チップ１と木製チップ１を結合しているシリコーンゴム２とより構成されている。シリコーンゴム２はマットＭの表面（使用する面）には殆ど現れていない。
【００２４】
（作用）
マットＭ１は上面が殆ど木製チップ１であり、自然な環境に外観が溶け込み易い。また、踏んだときに木そのままの自然な感触を得ることができ、気持ちよく使用できる。
もし、幾らかシリコーンゴム２が上面に現れていても、シリコーンゴム２が有している生体適合性により、踏んだときに違和感を感じることはない。
【００２５】
木製チップを使用したマットＭ１の製造方法について説明する。
図２は本発明に係る木製チップを使用した第１の実施の形態のマットの製造方法を説明するための断面説明図である。
杉の原木の製材後に出た端材を切断機にかけて、１〜３ｃｍの径（または長さ）のほぼ球体（ほぼ同じ体積を有する立方体または長方体であって、角部が削られた形状のもの等でもよい）の木製チップ１（比重０．４）を作る。
【００２６】
型枠３の内面に離型性を与えるために水を吹きつける。この型枠３の中に室温硬化型（ＲＴＶ）の液状シリコーンゴム２０（比重１．０）を入れ、その液状シリコーンゴム２０の上に上記木製チップ１を載せる。この場合、木製チップ１の１００重量部に対し、液状シリコーンゴム２０は４０〜６０重量部使用される。
次いで、この木製チップ１の上部の全面を蓋板４で覆い、重り５を載せる。
暫くすると、木製チップ１が液状シリコーンゴム２０中に沈むと同時に液状シリコーンゴム２０が木製チップ１同士の間隙１１を縫って上昇しながら全体に行き渡る。
そのままの状態で、全体を室温（常温）で一昼夜静置し液状シリコーンゴム２０を硬化させた後、型枠３から取り出しマットＭ１を得る。
なお、マットＭ１の表面には、硬化したシリコーンゴム２は現れていない。
【００２７】
上記のようにマットＭ１を製造するのに、特別な技術やそれ程の手間を要せず、製造コストを安価にすることができる。また、木製チップ１として、製材により生じた端材を利用しているので、資源のリサイクルに寄与することができる。
【００２８】
図３は本発明に係る木製チップを使用したマットの第２の実施の形態を説明するための要部断面説明図である。
木製チップを使用したマットＭ２は木製チップ１と木製チップ１を結合しているシリコーンゴム２とより構成されている。シリコーンゴム２はマットＭ２の表面に現れており、当該シリコーンゴム２を覆うために、その表面にはおがくず６が付着されている。
【００２９】
（作用）
マットＭ２の表面は殆どが木製チップ１及びおがくず６であり、外観が自然で環境に溶け込み易い。また、踏んだときに木そのままの自然な感触を得ることができ、木そのままの自然な感触を得ることができ、気持ちよく使用できる。
【００３０】
図４は本発明に係る木製チップを使用した第２の実施の形態のマットの製造方法を説明するための断面説明図である。
同図を参照して、木製チップを使用したマットＭ２の製造方法について説明する。
杉の間伐材を切断機にかけて、２〜５ｃｍの径のほぼ球体の木製チップ１（比重０．４）を作る。型枠３の内面に水を吹きつけて離型性を与え、その中に室温硬化型（ＲＴＶ）の液状シリコーンゴム２０（比重１．０）を入れる。その液状シリコーンゴム２０の上に上記木製チップ１を載せる。この場合、木製チップ１の１００重量部に対し、液状シリコーンゴム２０は５０〜６５重量部使用される。
【００３１】
暫くすると、木製チップ１が液状シリコーンゴム２０中に沈むと同時に液状シリコーンゴム２０が木製チップ１同士の間隙１１を縫って上昇しながら全体に行き渡る。液状シリコーンゴム２０が上面に現れるときに、液状シリコーンゴム２０が隠れるように、その上におがくず６を載せる。次いで、このおがくず６と木製チップ１の上部の全面を蓋板４で覆い重り５を載せる。
そのままの状態で、全体を室温（常温）で一昼夜静置し液状シリコーンゴム２０を硬化させた後、型枠３から取り出しマットＭ２を得る。
なお、液状シリコーンゴム２０の型枠３に入れる量は、第１の実施の形態の場合よりも少し多めに使用している。
【００３２】
（作用）
マットＭ２の上面を木製チップ１とおがくず６が覆っており、外観がマットＭ１とほぼ同一である。従って、作用も上記第１の実施の形態の場合とほぼ同一であるので、説明は省略する。
【００３３】
図５は本発明に係る木製チップを使用した植木鉢の実施の形態を説明するための断面説明図である。
木製チップを使用した植木鉢Ｐは鉢本体７と、当該鉢本体７の外面を覆っている木製チップ１と、上記木製チップ１を結合しているシリコーンゴム２により構成されている。この場合、鉢本体７は上面に微細な凹凸を有する素焼きが使用されており、シリコーンゴム２との接着性がよい。木製チップ１とシリコーンゴム２とはマットＭ１で使用したものと同一のものが使用されており、その重量部よる混合比も同一である。
木製チップ１は合成樹脂製の透明なペイントで薄く被覆したものが使用されている。なお、上記透明なペイントは、例えば薄茶色で着色したものなどを使用することもできる。
【００３４】
（作用）
マットＭ２はマットＭ１が有する作用に加えて、上面に現れている木製チップ１は上記ペイントで被覆されているので、防水性に優れ、屋外で長期間使用しても、腐敗を防止できるという作用を有する。
【００３５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
なお、本発明は図示の実施の形態に限定されるものではなく、特許請求の範囲の記載内において種々の変形が可能である。
【００３６】
【発明の効果】
本発明は上記構成を備え、次の効果を有する。
（ａ）本発明に係る木製チップを使用した成形体は、ゴムまたはプラスチックで結合されている木製チップにより、自然な環境に外観が溶け込み易い。また、触れたときにべたつきを感じることが少なく、気持ちよく使用できる。
【００３７】
（ｂ）木製チップを結合しているゴムまたはプラスチックが実質的に表面に現れないようにして形成してあるものは、自然な環境に外観がより一層溶け込み易い。また、自然の木そのままの感触を楽しむことができる。
【００３８】
（ｃ）ゴムがシリコーンゴムであるものは、当該シリコーンゴムが木製チップ等の間から表面に、たとえ、現れても、当該シリコーンゴムは生体適合性があるので、違和感を感じることはない。
【００３９】
（ｄ）木製チップが透明な防水性の被膜で覆われているものは、腐敗するのを防ぐことができる。
【００４０】
（ｅ）本発明に係る木製チップを使用したマットの製造方法は、製造工程等で手間がかからず、製造コストが安価になる。また、原料として、製材時に生じた端材、間伐材、台風や洪水等で生じた倒木や流木等を切断等して得られた木製チップが利用できるので、資源のリサイクルに寄与することができる。
【００４１】
（ｆ）容器本体の外面が第２、第３または第４の発明に係る成形体で覆われているものは、ゴムまたはプラスチックにより結合されている木製チップにより、自然な環境に外観が溶け込み易い。
【図面の簡単な説明】
【図１】  本発明に係る木製チップを使用したマットの第１の実施の形態を説明するための要部断面説明図。
【図２】  本発明に係る木製チップを使用した第１の実施の形態のマットの製造方法を説明するための断面説明図。
【図３】  本発明に係る木製チップを使用したマットの第２の実施の形態を説明するための要部断面説明図。
【図４】  本発明に係る木製チップを使用した第２の実施の形態のマットの製造方法を説明するための断面説明図。
【図５】  本発明に係る木製チップを使用した植木鉢の実施の形態を説明するための断面説明図。
【符号の説明】
Ｍ１  マット
Ｍ２  マット
Ｐ  植木鉢
１  木製チップ
１１  間隙
２  シリコーンゴム
２０  液状シリコーンゴム
３  型枠
４  蓋板
５  重り
６  おがくず
７  鉢本体
【図１】
0003709127.tif 000002
【図２】
0003709127.tif 000003
【図３】
0003709127.tif 000004
【図４】
0003709127.tif 000005
【図５】
0003709127.tif 000006